(57)【要約】【課題】複数のソースを同時に再生すると共に、聴取者の角度が変化してもサラウンド効果やステレオ効果を得るマルチチャンネル再生装置を提供する。【解決手段】再生すべきソース及び聴取者の角度についての指示を操作部８で受け付け、該指示により、制御部７は、ソースＡの信号のみをアナログインプット２及びＡ／Ｄコンバータ４を介して入力するか、ソースＡに加えてソースＢの信号をデジタルインプット３を介して入力するかの制御を、入力切替部５に対して行う。入力された信号は、制御部７の制御により、ＤＳＰ６で複数のオーディオ信号に分離される。該複数のオーディオ信号は、それぞれ、制御部７の制御により、出力切替部１１で、Ｄ／Ａコンバータ９０１から９０６までに切り替えて出力される。Ｄ／Ａコンバータ９０１から９０６までから出力されたオーディオ信号は、アンプ１０で増幅され、出力端子１０１から１０６までに出力される。【選択図】  図１
2004297447.tif 000002
【特許請求の範囲】
【請求項１】
ソースの信号を入力し、該信号についての複数チャンネルのオーディオ信号を再生して出力するマルチチャンネル再生装置において、
１または複数のソースの信号を入力する入力部と、
前記入力部が入力したソースの信号のそれぞれについて、複数チャンネルのオーディオ信号を再生する再生部と、
該再生部により再生されたソースのそれぞれについての複数チャンネルのオーディオ信号を出力する複数の出力端子を有する出力部と、
外部からの指示を受け付ける操作部と、
該操作部で受け付けられた指示に基づいて、前記入力部からのソースの信号の入力を制御し、ソースの信号のそれぞれについて、どのような種類の複数チャンネルのオーディオ信号を前記再生部が再生するかを制御し、複数チャンネルのオーディオ信号のそれぞれについて、出力する出力端子を切り替えるように前記出力部を制御する制御部とを有することを特徴とするマルチチャンネル再生装置。
【請求項２】
請求項１記載のマルチチャンネル再生装置において、
前記再生部に、
前記制御部の制御に従って、ソースの信号のそれぞれを、複数チャンネルのオーディオ信号に分離する分離部と、
該分離部により分離された複数チャンネルのオーディオ信号のそれぞれについて、前記制御部の制御に従って、出力する出力端子を切り替える出力切替部とを有し、
前記再生部は、前記分離部により分離された複数チャンネルのオーディオ信号を再生し、前記出力端子は、前記出力切替部により切り替えられたチャンネルのオーディオ信号を出力することを特徴とするマルチチャンネル再生装置。
【請求項３】
請求項１または請求項２記載のマルチチャンネル再生装置において、
前記指示は、１または同時に再生される複数のソースを特定するための情報を、少なくとも含むことを特徴とするマルチチャンネル再生装置。
【請求項４】
請求項１乃至３のいずれか１項に記載のマルチチャンネル再生装置の出力部の出力端子のそれぞれに、スピーカを接続し、該それぞれのスピ−カからオーディオ信号を出力する、マルチチャンネル再生システムであって、前記指示は、前記スピーカから出力されるオーディオ信号を聴取する聴取者の前記スピーカに対する角度に応じてなされることを特徴とするマルチチャンネル再生システム。
【発明の詳細な説明】
【０００１】
【発明の属する技術分野】
本発明は、複数のチャンネルのオーディオ信号を出力するマルチチャンネル再生装置およびマルチチャンネル再生システムに関する。
【０００２】
【従来の技術】
従来のＡＶアンプ、サラウンドアンプ等の、マルチチャンネル再生装置においては、前方左右（フロント）用、前方中央（センター）用、後方左右（サラウンド）用のスピーカ出力端子を備え、これらの出力端子からの出力信号をリスニングポジションの前方や後方に配置したスピーカへ接続し、臨場感のある音声の再生を行っている。
【０００３】
ＡＶアンプ等のマルチチャンネル再生装置は、入力端子と、この入力端子に接続されたデコーダとを備えている。マルチチャンネル再生装置におけるマルチチャンネル再生方法としては、入力端子から入力されたデジタル信号を、デコーダにて処理し、オーディオ信号を再生する。
【０００４】
この場合、オーディオ信号としては、例えば、５．１チャンネルと呼ばれる信号がある。５．１チャンネルは、前方左用（Ｆｒｏｎｔ  Ｌｅｆｔ  Ｃｈａｎｎｅｌ：以下、ＦＬｃｈという）と、前方右用（Ｆｒｏｎｔ  Ｒｉｇｈｔ  Ｃｈａｎｎｅｌ：以下、ＦＲｃｈという）と、前方中央用（Ｃｅｎｔｅｒ  Ｃｈａｎｎｅｌ：以下、Ｃｃｈという）と、後方左用（Ｓｕｒｒｏｕｎｄ  Ｌｅｆｔ  Ｃｈａｎｎｅｌ：以下、ＳＬｃｈという）と、後方右用（Ｓｕｒｒｏｕｎｄ  Ｒｉｇｈｔ  Ｃｈａｎｎｅｌ：以下、ＳＲｃｈという）との５チャンネルに加え、０．１チャンネル分のオーディオ信号に相当する低音専用のサブウーハーチャンネル（Ｓｕｂ  Ｗｏｏｆｅｒ  Ｃｈａｎｎｅｌ：以下、ＳＷｃｈという）を、備えている。また、現在、５．１チャンネルにサラウンドバックチャンネルを追加し、６．１チャンネル、７．１チャンネルのオーディオ信号を再生するマルチチャンネル再生装置がある。
【０００５】
マルチチャンネル再生装置をカーオーディオ等に用いる場合においては、車内全体にオーディオ信号が行き渡るよう、前方座席の前方中央、左右、後方座席の左右にスピーカを配置している。また、カーオーディオにおいてもＤＶＤ対応で、５．１サラウンド等の再生が可能なものもある。
【０００６】
図２は、一般的なマルチチャンネル再生装置によるサラウンド再生時のスピーカの配置図である。
【０００７】
図２においては、リスニングポジションにおける聴取者１４６の左前方にフロント左チャンネル（ＦＬｃｈ）用スピーカ１４１、前方中央にセンターチャンネル（Ｃｃｈ）用スピーカ１４２、右前方にフロント右チャンネル（ＦＲｃｈ）用スピーカ１４３、右後方にサラウンド右チャンネル（ＳＲｃｈ）用スピーカ１４４、左後方にサラウンド左チャンネル（ＳＬｃｈ）用スピーカ１４５を配置して、各チャンネルのオーディオ信号を、それぞれ対応した各スピーカから出力し、臨場感のある音場を再現させることが可能となる。
【０００８】
このように、各チャンネルのオーディオ信号が、それぞれ対応した各スピーカから出力されるマルチチャンネル再生装置としては、例えば、特許文献１がある。
【０００９】
【特許文献１】
特開平１０−２４３４９９号公報
図２に示したように配置されたスピーカに接続されたマルチチャンネル再生装置において、左チャンネル（Ｌｃｈ）と右チャンネル（Ｒｃｈ）のみの２チャンネル再生を行う場合があるが、この場合においては、Ｌｃｈのオーディオ信号はＦＬｃｈ用スピーカ１４１から出力され、Ｒｃｈのオーディオ信号はＦＲｃｈ用スピーカ１４３から出力される。この場合、聴取者１４６にとっては、Ｘ方向が聴取方向となる。
【００１０】
図２において、聴取者１４６がＹ方向を向いた場合に、左チャンネル（Ｌｃｈ）と右チャンネル（Ｒｃｈ）のみの２チャンネル再生を行うと、Ｌｃｈのオーディオ信号はＦＬｃｈ用スピーカ１４１から出力され、Ｒｃｈのオーディオ信号はＦＲｃｈ用スピーカ１４３から出力されるので、聴取者１４６の後方から音声が聞こえることになる。
【００１１】
また、従来、自動車の車内においても、臨場感のある音場を再現するために、カーオーディオ等の車載用スピーカが搭載されていることが多い。
【００１２】
図３は、カーオーディオ等の車載用スピーカの配置図である。前席１５１の左右にフロント用スピーカ１５２、後部座席１５３の左右にリヤ用スピーカ１５４が配置されている。また、前席１５１の前方には、センタースピーカ１５５が配置されている。
【００１３】
このような車載用スピーカにおいても、各チャンネルのオーディオ信号が、それぞれ対応した各スピーカから出力されている。
【００１４】
【発明が解決しようとする課題】
上記従来技術のマルチチャンネル再生装置においては、図２に示すように、各スピーカに対する出力チャンネルが固定されているので、聴取方向（前方（フロント）チャンネル方向）が、ある一方向に特定されている。
【００１５】
このように、聴取方向（前方（フロント）チャンネル方向）が、一定方向に特定されているので、ＬｃｈおよびＲｃｈの２チャンネル信号を再生する場合には、Ｌｃｈのオーディオ信号が前方左のＦＬｃｈ用スピーカから出力され、Ｒｃｈのオーディオ信号が前方右のＦＲｃｈ用スピーカから出力される。
【００１６】
このように、２チャンネル再生をする場合、スピーカが多数配置されているにもかかわらず、オーディオ信号が再生されるスピーカ２本が特定される。
【００１７】
このため、従来のマルチチャンネル再生装置をカーオーディオに用いる場合、乗車した者が車の前方を向いたり後方を向いたりした場合、再生音を出力させたい方向にスピーカがあるにもかかわらず、サラウンド効果やステレオ効果を得ることができないという問題がある。
【００１８】
また、図３に示すようなカーオーディオ等においては、ＣＤ、ＤＶＤ、ＭＤ、ＴＶ等の複数のソースを再生可能な機器がある場合があるが、従来のマルチチャンネル再生装置で再生可能なソースは、その中の１つであるので、前席と後部席とで異なるソースを再生することや、運転席、又は特定の席のみ別のソースを出力することができないという問題がある。
【００１９】
ここで、上記問題について、より詳しく説明する。
【００２０】
従来のマルチチャンネル再生装置をカーオーディオに用いる場合は、車内に複数のスピーカを配置することによって、車内で臨場感のあるオーディオ信号の聴取をすることができる。この場合、車の座席に座っている者は、通常、車の走行方向、すなわち、車の前方を向いていることから、車内に設置するそれぞれのスピーカは、聴取者が車の前方を向いているときにサラウンド効果を奏するように、それぞれのチャンネルを割り当てられている。
【００２１】
現在、車内に画像を表示する表示装置を備えた車が増加しつつある。マルチチャンネル再生装置と表示装置とを車内に備えることにより、マルチチャンネル再生装置により再生したサラウンド効果のあるオーディオ信号を聴取しながら表示装置に映画等を表示することにより、車内で臨場感のある映画等を鑑賞することができる。
【００２２】
この場合、画像を表示するための表示装置を車内の前方の位置に配置すれば、聴取者は、車の前方を向いた状態で、表示装置に表示される画像を観ながら、サラウンド効果のあるオーディオ信号を聴取することができる。
【００２３】
しかしながら、車内の前方に位置に表示装置を配置する場合、表示装置が車の運転の妨げにならないようにする必要があるので、表示装置の表示画面を大画面とすることができない。大画面の表示装置を車の前方に配置する手段としては、表示画面が移動し収納可能となるような構成の表示装置を用い、車を運転する場合は表示装置を収納しておいて、車を運転せずに映画等の鑑賞をする場合に、表示装置を車内の前方に配置する構成とすれば、サラウンド効果を奏する映画等の鑑賞を、大画面の表示装置により行うことができる。
【００２４】
しかしながら、上述したような収納可能な構成の表示装置とすると、表示装置のコストが高くなってしまう。また、表示装置を収納する場所を、車内の前方に設けるためには、通常車内の前方に配置されている他の装置、例えば、エアコンの操作部やラジオの受信装置等との配置の割り当てが困難となる。
【００２５】
そのため、図３に示すように、大画面の表示装置３０１を車内の後方に配置し、車内の座席が前方から後方に回転する構成であれば、大画面の表示装置により、映画等の鑑賞をすることができる。
【００２６】
しかしながら、この場合、聴取者の向く方向が、車の後方となるので、各スピーカから出力されるオーディオ信号によってサラウンド効果やステレオ効果を奏することができなくなってしまう。
【００２７】
これを解決するために、本発明の出願人等により出願された特願２００１−２８１８８９号に記載されているようなマルチチャンネル再生装置がある。このマルチチャンネル再生装置をカーオーディオに用いることにより、乗車した者が前方を向いている場合でも後方を向いている場合でも、操作部を操作することにより、サラウンド効果を奏するオーディオ信号を聴取することができる。このマルチチャンネル再生装置を備え、車内の後方に表示装置を備えることで、車に乗った者は、車が走行中でも後方の表示装置により映画等の鑑賞をすることができる。
【００２８】
しかしながら、車に乗った者は、車の後部座席に座った者と、車の前部座席に座って車の運転をする者とで、異なるソースのオーディオ信号を聴取したい場合がある。
【００２９】
例えば、車の後部座席に座った者は、車が走行している途中においても、表示装置を観ることによって映画の鑑賞をすることができる。しかし、車の運転をする者は、車の前部座席で車の進行方向を目視しながら運転を行う必要があるので、映画の鑑賞をすることができない。そこで、車の後部座席に座った者が表示装置により映画の鑑賞を行う場合には、車の後部座席に座った者は、映画のソースの聴取を希望し、運転者は、他の音楽ソースの聴取を希望することがある。
【００３０】
さらに、車の後部座席に座った者は、上述したような前方と後方のどちらの方向にも向くことが可能な回転式の座席が、後部座席として備えられている場合、前部座席に座った運転者と異なるソースのオーディオ信号を、車の前方を向いた場合と車の後方を向いた場合とのどちらの場合にも聴取したい場合がある。
【００３１】
特願２００１−２８１８８９号に記載されているマルチチャンネル再生装置は、これらの点を考慮していない。
【００３２】
そこで、本発明は、マルチチャンネルのオーディオ信号を再生するマルチチャンネル再生装置において、簡単な構成で複数のソースを同時に再生することができると共に、オーディオ信号を聴取する聴取者の角度が変化しても、サラウンド効果やステレオ効果を得ることができるマルチチャンネル再生装置を提供することを目的とする。
【００３３】
【課題を解決するための手段】
上記課題を解決するために、本発明によれば、ソースの信号を入力し、該信号についての複数チャンネルのオーディオ信号を再生して出力するマルチチャンネル再生装置において、外部からの指示を受け付ける操作手段と、該指示に基づいて、同時に再生する複数のソースを入力することができる入力手段と、該入力手段により入力された各ソースの信号から、前記指示に基づいて、複数のチャンネルのオーディオ信号を再生する再生手段と、該複数のチャンネルのオーディオ信号の出力チャンネルを、前記指示に基づいて、切り替えて出力することができる出力手段とを有することができる。前記操作手段は、同時に再生する複数のソースを特定するための指示と、オーディオ信号を聴取する聴取者の角度についての指示を受け付けることができる。
【００３４】
より具体的には、本発明によれば、
ソースの信号を入力し、該信号についての複数チャンネルのオーディオ信号を再生して出力するマルチチャンネル再生装置において、
１または複数のソースの信号を入力する入力部と、
前記入力部が入力したソースの信号のそれぞれについて、複数チャンネルのオーディオ信号を再生する再生部と、
該再生部により再生されたソースのそれぞれについての複数チャンネルのオーディオ信号を出力する複数の出力端子を有する出力部と、
外部からの指示を受け付ける操作部と、
該操作部で受け付けられた指示に基づいて、前記入力部からのソースの信号の入力を制御し、ソースの信号のそれぞれについて、どのような種類の複数チャンネルのオーディオ信号を前記再生部が再生するかを制御し、複数チャンネルのオーディオ信号のそれぞれについて、出力する出力端子を切り替えるように前記出力部を制御する制御部とを有することができる。
【００３５】
また、前記再生部に、
前記制御部の制御に従って、ソースの信号のそれぞれを、複数チャンネルのオーディオ信号に分離する分離部（デジタルシグナルプロセッサ）と、
該分離部により分離された複数チャンネルのオーディオ信号のそれぞれについて、前記制御部の制御に従って、出力する出力端子を切り替える出力切替部とを有し、
前記再生部は、前記分離部により分離された複数チャンネルのオーディオ信号を再生し、前記出力端子は、前記出力切替部により切り替えられたチャンネルのオーディオ信号を出力することもできる。
【００３６】
さらに、前記指示は、１または同時に再生される複数のソースを特定するための情報を、少なくとも含むこともできる。
【００３７】
さらに、前記マルチチャンネル再生装置の出力部の出力端子のそれぞれに、スピーカを接続し、該それぞれのスピ−カからオーディオ信号を出力する、マルチチャンネル再生システムにおいて、前記指示は、前記スピーカから出力されるオーディオ信号を聴取する聴取者の前記スピーカに対する角度に応じてなされることもできる。
【００３８】
【発明の実施の形態】
以下、本発明の実施の形態を、図面を参照しつつ説明する。
【００３９】
図１は、本発明によるマルチチャンネル再生装置の一実施の形態を説明するためのブロック図である。
【００４０】
図１において、マルチチャンネル再生装置１は、アナログ信号を入力するアナログインプット２と、該アナログインプット２に接続され、該アナログインプット２により入力されたアナログ信号をデジタル信号に変換するＡ／Ｄコンバータ４を備える。
【００４１】
また、デジタル信号を入力するデジタルインプット３と、該デジタルインプット３と前記Ａ／Ｄコンバータ４とに接続された入力切替部５を備える。さらに、該入力切替部５に接続され、デジタル信号処理を行うデジタルシグナルプロセッサ（ＤＳＰ）６と、該ＤＳＰ６に接続された出力切替部１１とを備える。
【００４２】
さらに、ユーザの操作入力を受け付ける操作部８と、該操作部８と前記入力切替部５と前記ＤＳＰ６と前記出力切替部１１と後述するアンプ１０とに接続された制御部７とを備える。操作部８は、後述する第１の操作部８０１と、第２の操作部８０２とを備える。
【００４３】
さらに、出力切替部１１に接続され、ＤＳＰ６から出力されたデジタル信号をアナログ信号に変換する第１のＤ／Ａコンバータ９０１から第６のＤ／Ａコンバータ９０６を備える。
【００４４】
さらに、第１のＤ／Ａコンバータ９０１から第６のＤ／Ａコンバータ９０６と制御部７に接続され、アナログ信号の増幅等を行うアンプ１０を備える。さらに、アンプ１０に接続され、オーディオ信号を出力する第１の出力部１０１から第６の出力部１０６を備える。第１の出力部１０１から第６の出力部１０６は、それぞれ、マルチチャンネル再生装置１の外部に配置された第１のスピーカ（ＳＰ）２０１から第６のスピーカ（ＳＰ）２０６に接続されている。
【００４５】
デジタルインプット３は、ＣＤプレーヤ、ＤＶＤプレーヤ等からのデジタル信号を入力する。
【００４６】
アナログインプット２は、テレビ、ビデオデッキ等からの、アナログ信号を入力する。Ａ／Ｄコンバータ４は、アナログインプット２から入力されたアナログ信号を、デジタル信号に変換する。
【００４７】
入力切替部５は、制御部７の制御により、Ａ／Ｄコンバータ４から出力されたデジタル信号およびデジタルインプット３からのデジタル信号の切り替えを行う。
【００４８】
入力切替部５は、リレー回路等による切替スイッチからなり、制御部７の制御により、Ａ／Ｄコンバータ４から入力された信号と、デジタルインプット３から入力された信号のうち、どちらか１系統の信号をＤＳＰ６へ出力するか、又は、Ａ／Ｄコンバータ４から入力された信号と、デジタルインプット３から入力された信号との２系統の信号を、ＤＳＰ６に同時に出力するかを、切替により選択する。
【００４９】
なお、本実施の形態においては、アナログインプット２とデジタルインプット３とを、それぞれ１系統毎備える構成として説明しているが、複数のアナログインプット２とデジタルインプット３とを備え、入力選定部を備えて、この入力選定部により入力切替部５へ出力する信号を選定する構成としてもよい。
【００５０】
ＤＳＰ６は、入力切替部５から出力されたデジタル信号を、複数のチャンネルのオーディオ信号に分離して、出力切替部１１へ出力する。
【００５１】
出力切替部１１は、切替スイッチから成り、制御部７の制御により、ＤＳＰ６から出力されるオーディオ信号を、第１のＤ／Ａコンバータ９０１から第６のＤ／Ａコンバータ９０６までに割り当てて出力する。
【００５２】
第１のＤ／Ａコンバータ９０１から第６のＤ／Ａコンバータ９０６までは、それぞれ、出力切替部１１から出力されたデジタル信号を入力し、アナログ信号に変換して、アンプ１０へ出力する。
【００５３】
アンプ１０は、第１のＤ／Ａコンバータ９０１から第６のＤ／Ａコンバータ９０６までから出力されたアナログ信号を入力して増幅し、それぞれのアナログ信号を、制御部７の制御により、第１の出力部１０１から第６の出力部１０６までに出力する。
【００５４】
第１の出力部１０１から第６の出力部１０６までは、それぞれ出力端子から成り、それぞれ、マルチチャンネル再生装置１の外部のスピーカから成る第１のＳＰ２０１から第６のＳＰ２０６までの内の、対応するスピーカに接続されている。
【００５５】
第１の出力部１０１から第６の出力部１０６までは、それぞれアンプ１０により増幅されたアナログ信号を入力し、該アナログ信号を、第１のＳＰ２０１から第６のＳＰ２０６までの内の対応するスピーカに出力する。
【００５６】
第１のＳＰ２０１から第６のＳＰ２０６までは、それぞれ、第１の出力部１０１から第６の出力部１０６までの内の、対応する出力部により出力されたアナログ信号をオーディオ信号として出力する。
【００５７】
図４は、マルチチャンネル再生装置１の第１の操作部８０１を示す模式図である。第１の操作部８０１は、座席の向きに応じたオーディオ信号の出力方向を指定するためのものであり、操作により自在に回転するノブ８０１１と、当該ノブの外周に「１」および「２」の文字が印刷されたパネルとを備える。出力方向を前向きにする場合には、ノブの先端を、「１」に合わせる。出力方向を、再生するソースが１つの場合には、すべての座席に対して前向きにして、同時に２つのソースを再生する場合には、前部座席に対しては前向きにし、後部座席に対しては後向きにする場合には、ノブの先端を、「２」に合わせる。
【００５８】
第１の操作部８０１は、回転され停止したノブの角度に応じて、第１の指示信号又は第２の指示信号を出力する。第１の操作部８０１は、ノブを回転させてノブの先端がパネルに印刷された「１」の文字と対向する位置に回転させると、第１の指示信号を出力し、「２」の文字と対向する位置に回転させると、第２の指示信号を出力する。
【００５９】
図５は、マルチチャンネル再生装置１の第２の操作部８０２を示す模式図である。第２の操作部８０２は、ソースの切替を受け付けるためのものであり、操作により自在に回転するノブ８０２１と、当該ノブの外周に「３」および「４」の文字が印刷されたパネルとを備える。１つのソースを受け付ける場合は、ノブの先端を「３」に合わせ、２つのソースを同時に受け付ける場合には、ノブの先端を「４」に合わせる。
【００６０】
第２の操作部８０２は、ノブを回転させてノブの先端がパネルに印刷された「３」の文字と対向する位置に回転させると、第３の指示信号を出力し、「４」の文字と対向する位置に回転させると、第４の指示信号を出力する。
【００６１】
制御部７は、第１の操作部８０１及び第２の操作部８０２からの出力信号により、ＤＳＰ６により分離した各チャンネルの信号を、第１のＤ／Ａコンバータ９０１から第６のＤ／Ａコンバータ９０６までに割り当てて出力するように、出力切替部１１を制御する。
【００６２】
次に、第２の操作部８０２から、第３の指示信号が出力される場合と、第４の指示信号が出力される場合の、マルチチャンネル再生装置１の動作を説明する。
【００６３】
初めに、第２の操作部８０２から、第３の指示信号が出力された場合について説明する。
【００６４】
制御部７は、第２の操作部８０２から第３の指示信号が出力されると、Ａ／Ｄコンバータ４から出力されたデジタル信号を、ＤＳＰ６へ出力するように、入力切替部５を制御する。
【００６５】
制御部７は、入力切替部５から入力されたデジタル信号を、センターチャンネル（Ｃｃｈ）、フロント右チャンネル（ＦＲｃｈ）、フロント左チャンネル（ＦＬｃｈ）、リア右チャンネル（ＲＲｃｈ）及びリア左チャンネル（ＲＬｃｈ）の、５つのチャンネルのオーディオ信号に分離して出力するように、ＤＳＰ６を制御する。
【００６６】
このとき、制御部７は、第１の操作部８０１から第１の指示信号が出力されると、ＤＳＰ６により分離されたチャンネル信号の内、Ｃｃｈの信号を第１のＤ／Ａコンバータ９０１へ出力し、ＦＲｃｈの信号を第２のＤ／Ａコンバータ９０２へ出力し、ＦＬｃｈの信号を第５のＤ／Ａコンバータ９０５へ出力し、ＲＲｃｈの信号を第３のＤ／Ａコンバータ９０３へ出力し、ＲＬｃｈの信号を第４のＤ／Ａコンバータ９０４へ割り当てて出力するように、出力切替部１１を制御する。
【００６７】
一方、制御部７は、第１の操作部８０１から第２の指示信号が出力されると、ＤＳＰ６により分離された各チャンネル信号の内、Ｃｃｈの信号を第６のＤ／Ａコンバータ９０６へ出力し、ＦＲｃｈの信号を第４のＤ／Ａコンバータ９０４へ出力し、ＦＬｃｈの信号を第３のＤ／Ａコンバータ９０３へ出力し、ＲＲｃｈの信号を第５のＤ／Ａコンバータ９０５へ出力し、ＲＬｃｈの信号を第２のＤ／Ａコンバータ９０２へ割り当てて出力するように、出力切替部１１を制御する。
【００６８】
次に、第２の操作部８０２から、第４の指示信号が出力される場合について説明する。
【００６９】
制御部７は、第２の操作部８０２から第４の指示信号が出力されると、Ａ／Ｄコンバータ４から出力されたデジタル信号と、デジタルインプット３から出力されたデジタル信号を、ＤＳＰ６へ出力するように、入力切替部５を制御する。
【００７０】
制御部７は、入力切替部５を介してＡ／Ｄコンバータ４から出力された信号を、第１のセンターチャンネル（第１Ｃｃｈ）、第１の右チャンネル（第１Ｒｃｈ）、第１の左チャンネル（第１Ｌｃｈ）の３つのチャンネルのオーディオ信号に分離して出力するようにＤＳＰ６を制御する。また、制御部７は、入力切替部５を介してデジタルインプット３から出力された信号を、第２のセンターチャンネル（第２Ｃｃｈ）、第２の右チャンネル（第２Ｒｃｈ）、第２の左チャンネル（第２Ｌｃｈ）の３つのチャンネルのオーディオ信号に分離して出力するようにＤＳＰ６を制御する。
【００７１】
このとき、制御部７は、第１の操作部８０１から第１の指示信号が出力されると、ＤＳＰ６により分離された各チャンネル信号の内、第２Ｃｃｈの信号を第１のＤ／Ａコンバータ９０１へ出力し、第２Ｒｃｈの信号を第２のＤ／Ａコンバータ９０２へ出力し、第２Ｌｃｈの信号を第５のＤ／Ａコンバータ９０５へ出力し、第１Ｃｃｈの信号を第３のＤ／Ａコンバータ９０３及び第４のＤ／Ａコンバータ９０４へ出力し、第１Ｌｃｈの信号を第４のＤ／Ａコンバータ９０４へ出力し、第１Ｒｃｈの信号を第３のＤ／Ａコンバータ９０３へ割り当てて出力するように、出力切替部１１を制御する。
【００７２】
一方、制御部７は、第１の操作部８０１から第２の指示信号が出力されると、ＤＳＰ６により分離された各チャンネル信号の内、第２Ｃｃｈの信号を第１のＤ／Ａコンバータ９０１へ出力し、第２Ｒｃｈの信号を第２のＤ／Ａコンバータ９０２へ出力し、第２Ｌｃｈの信号を第５のＤ／Ａコンバータ９０５へ出力し、第１Ｃｃｈの信号を第６のＤ／Ａコンバータ９０６へ出力し、第１Ｒｃｈの信号を第４のＤ／Ａコンバータ９０４へ出力し、第１Ｌｃｈの信号を第３のＤ／Ａコンバータ９０３へ割り当てて出力するように、出力切替部１１を制御する。
【００７３】
図６（ａ）、図６（ｂ）、図７（ａ）、及び図７（ｂ）は、マルチチャンネル再生装置１により出力したオーディオ信号を、聴取者が聴取している方向を示す図である。
【００７４】
図６（ａ）は、前部座席１５１及び後部座席１５３に座った聴取者９１，９２が、第１のＳＰ２０１を正面とした位置で、オーディオ信号を聴取している状態を示す模式図である。図６（ｂ）は、前部座席１５１及び後部座席１５３に座った聴取者９１，９２が、表示装置３０１及び第６のＳＰ２０６を正面とした位置で、オーディオ信号を聴取している状態を示す模式図である。
【００７５】
図６（ａ）に示すように、前部座席１５１及び後部座席１５３に座った聴取者９１，９２が、第１のＳＰ２０１を正面とした位置で、オーディオ信号を聴取する場合は、図５に示すように第２の操作部８０２のノブの先端がパネルに印刷された「３」の文字と対向する角度として、第２の操作部８０２が第３の指示信号を出力するようにし、図４に示すように第１の操作部８０１のノブの先端がパネルに印刷された「１」の文字と対向する角度として、第１の操作部８０１が第１の指示信号を出力するようにする。これにより、アナログインプット２からソースＡが入力された場合には、第１のＳＰ２０１からソースＡのＣｃｈのオーディオ信号が放音され、第２のＳＰ２０２からソースＡのＦＲｃｈのオーディオ信号が放音され、第５のスピーカ２０５からソースＡのＦＬｃｈのオーディオ信号が放音され、第３のＳＰ２０３からソースＡのＲＲｃｈのオーディオ信号が放音され、第４のＳＰ２０４からソースＡのＲＬｃｈのオーディオ信号が放音される。
【００７６】
図６（ａ）の状態から、前部座席１５１及び後部座席１５３に座った聴取者９１，９２が、図６（ｂ）に示すように表示装置３０１及び第６のＳＰ２０６を正面とした方向に向きを変えた場合は、図４に示すように、第１の操作部８０１のノブの先端がパネルに印刷された「２」の文字と対向する角度として、第１の操作部８０１が第２の指示信号を出力するようにする。これにより、第６のＳＰ２０６からソースＡのＣｃｈのオーディオ信号が放音され、第４のＳＰ２０４からソースＡのＦＲｃｈのオーディオ信号が放音され、第３のスピーカ２０３からソースＡのＦＬｃｈのオーディオ信号が放音され、第５のＳＰ２０５からソースＡのＲＲｃｈのオーディオ信号が放音され、第２のＳＰ２０２からソースＡのＲＬｃｈのオーディオ信号が放音される。
【００７７】
図７（ａ）は、前部座席１５１に座った聴取者９１が、第１のＳＰ２０１を正面とした位置、即ち、車の前方を向いた状態で、デジタルインプット３が入力したソースＢのオーディオ信号を聴取し、後部座席１５３に座った聴取者９２が、車の前方を向いた状態で、アナログインプット２から入力したソースＡのオーディオ信号を聴取している状態を示す模式図である。
【００７８】
図７（ｂ）は、前部座席１５１に座った聴取者９１が、第１のＳＰ２０１を正面とした位置、即ち、車の前方を向いた状態で、デジタルインプット３が入力したソースＢのオーディオ信号を聴取し、後部座席１５３に座った聴取者９２が、表示装置３０１及び第６のＳＰ２０６を正面とした位置、即ち、車の後方を向いた状態で、アナログインプット２から入力したソースＡのオーディオ信号を聴取している状態を示す模式図である。
【００７９】
図７（ａ）に示すように、前部座席１５１に座った聴取者９１が、車の前方を向いた状態でデジタルインプット３が入力したソースＢのオーディオ信号を聴取し、後部座席１５３に座った聴取者９２が、車の前方を向いた状態でアナログインプット２から入力したソースＡのオーディオ信号を聴取する場合は、図５に示すような第２の操作部８０２のノブの先端がパネルに印刷された「４」の文字と対向する角度として、第２の操作部８０２が第４の指示信号を出力するようにし、図４に示すように、第１の操作部８０１のノブの先端がパネルに印刷された「１」の文字と対向する角度として、第１の操作部８０１が第１の指示信号を出力するようにする。
【００８０】
このことにより、第１のＳＰ２０１から第２Ｃｃｈのオーディオ信号が放音され、第２のＳＰ２０２から第２Ｒｃｈのオーディオ信号が放音され、第５のＳＰ２０５から第２Ｌｃｈにオーディオ信号が放音されると共に、第３のＳＰ２０３から第１Ｒｃｈと第１Ｃｃｈのオーディオ信号が放音され、第４のＳＰ２０４から第１Ｌｃｈと第１Ｃｃｈのオーディオ信号が放音される。
【００８１】
図７（ａ）の状態から、後部座席１５３に座った聴取者９２が、図７（ｂ）に示すように、表示装置３０１及び第６のＳＰ２０６を正面とした方向に向きを変化した場合は、図４に示すような第１の操作部８０１のノブの先端をパネルに印刷された「２」の文字と対向する角度として、第１の操作部８０１が第２の指示信号を出力するようにする。このことにより、第６のＳＰ２０６から第１Ｃｃｈのオーディオ信号が放音され、第４のＳＰ２０４から第１Ｒｃｈのオーディオ信号が放音され、第３のＳＰ２０３から第１Ｌｃｈのオーディオ信号が放音される。
【００８２】
以上の構成により、本実施の形態によるマルチチャンネル再生装置１は、前部座席１５１及び後部座席１５３に座った聴取者９１，９２が前方を向いている場合は、第１の操作部８０１のノブの先端を「１」の文字と対向する角度とし、第２の操作部８０２のノブの先端を「３」の文字と対向する角度とすることで、前部座席１５１と後部座席１５３に座った聴取者９１，９２が、サラウンド効果のあるオーディオ信号を聴取することができる。
【００８３】
また、前部座席１５１及び後部座席１５３に座った聴取者９１，９２が車の後方を向いて、車の後方に備える大画面の表示装置３０１を観ながら映画を鑑賞する場合は、第１の操作部８０１のノブの先端を「２」の文字と対向する角度とし、第２の操作部８０２のノブの先端を「３」の文字と対向する角度とすることで、前部座席１５１と後部座席１５３に座った聴取者９１，９２が、サラウンド効果のあるオーディオ信号を聴取することができる。
【００８４】
また、前部座席１５１及び後部座席１５３に座った聴取者９１，９２が前方を向いている状態で、前部座席１５１と後部座席１５３に座った聴取者９１，９２がそれぞれ異なるソースのオーディオ信号を聴取したい場合は、第１の操作部８０１のノブの先端を「１」の文字と対向する角度とし、第２の操作部８０２のノブの先端を「４」の文字と対向する角度とすることで、前部座席１５１と後部座席１５３に座った聴取者９１，９２が、それぞれ異なるソースのオーディオ信号をステレオ効果のあるオーディオ信号として聴取することができる。
【００８５】
さらに、前部座席１５１に座った聴取者９１が車の前方を向き、後部座席１５３に座った聴取者９２が車の後方を向いている状態で、前部座席１５１と後部座席１５３に座った聴取者９１，９２がそれぞれ異なるソースのオーディオ信号を聴取したい場合は、第１の操作部８０１のノブの先端を「２」の文字と対向する角度とし、第２の操作部８０２のノブの先端を「４」の文字と対向する角度とすることで、前部座席１５１と後部座席１５３に座った聴取者９１，９２が、それぞれ異なるソースのオーディオ信号をステレオ効果のあるオーディオ信号として聴取することができる。
【００８６】
このように、オーディオ信号の出力方向を指定する第１の操作部８０１と、再生するソースを指定する第２の操作部８０２との組み合わせにより、車の後部座席１５３に座った者が表示装置３０１により映画の鑑賞を行う場合には、車の後部座席１５３に座った者は、映画のソースの聴取を行い、車の前部座席１５１に座った運転者は、他の音楽ソースの聴取を行うことができる。
【００８７】
さらに、車の後部座席１５３に座った者は、車の前方と後方のどちらの方向にも向くことが可能な回転式の座席が、後部座席１５３として備えられている場合、前部座席１５１に座った運転者と異なるソースのオーディオ信号を、車の前方を向いた場合と車の後方を向いた場合とのどちらの場合にも聴取することができる。
【００８８】
また、操作部８による各種設定方法の一例として、オンスクリーンディスプレー（ＯＳＤ）により、モニター画面により出力チャンネルを設定する方法も考えられる。また、車載用ディスプレー等においては、画面に設定ボタンを表示し、指で触れることにより設定する方法も考えられる。
【００８９】
【発明の効果】
本発明によれば、マルチチャンネルのオーディオ信号を再生するマルチチャンネル再生装置において、簡単な構成で複数のソースを同時に再生することができると共に、オーディオ信号を聴取する聴取者の角度が変化しても、サラウンド効果やステレオ効果を得ることができるマルチチャンネル再生装置を提供することができる。
【図面の簡単な説明】
【図１】本発明の実施の形態に係るマルチチャンネル再生装置の構成図。
【図２】一般的なサラウンド再生時のスピーカの配置図。
【図３】車載用スピーカの配置図。
【図４】本発明の実施の形態に係る第１の操作部を示す図。
【図５】本発明の実施の形態に係る第２の操作部を示す図。
【図６】本発明の実施の形態に係るマルチチャンネル再生装置の効果を示す説明図。
【図７】本発明の実施の形態に係るマルチチャンネル再生装置の効果を示す説明図。
【符号の説明】
１…マルチチャンネル再生装置
２…アナログインプット
３…デジタルインプット
４…Ａ／Ｄコンバータ
５…入力切替部
６…デジタルシグナルプロセッサ（ＤＳＰ）
７…制御部
８…操作部
８０１…第１の操作部
８０２…第２の操作部
９０１〜９０６…第１〜第６のＤ／Ａコンバータ
１０…アンプ
１０１〜１０６…第１〜第６の出力端子
２０１〜２０６…第１〜第６のスピーカ
１５１…前部座席
１５３…後部座席
９１，９２…聴取者
３０１…表示装置
【図１】
2004297447.tif 000003
【図２】
2004297447.tif 000004
【図３】
2004297447.tif 000005
【図４】
2004297447.tif 000006
【図５】
2004297447.tif 000007
【図６】
2004297447.tif 000008
【図７】
2004297447.tif 000009